(57)【要約】【課題】経腸栄養療法用カテーテルと、それ専用の医療用回路との間の、強固な接続及び接続解除を容易とし、且つ、経腸栄養療法用カテーテルと各種のオスコネクタとの接続も可能とする、接続構造等を提供する。【解決手段】移送チューブ４１の一方の端部に接続され雌ネジ２１３を備えたオスコネクタ２と、チューブ５１の一方の端部に着脱自在に装着され雌ネジ２１３と螺合可能な雄ネジ３０８とを備えたアダプタ３と、を含み、雌ネジ２１３と雄ネジ３０８とが螺合されることにより、アダプタ３の外側部材３０３がチューブ５１の中心軸に近づくように弾性変形して、アダプタ３の内側部材３０２と外側部材３０３とでチューブ５１を挟持する、経腸栄養療法用カテーテルと医療用回路との接続構造。【選択図】図３
2013138707.tif 000002
【特許請求の範囲】
【請求項１】
チューブを含む経腸栄養療法用カテーテルと、液状物を前記経腸栄養療法用カテーテルへ移送するための移送チューブを含む医療用回路との接続構造であって、
前記移送チューブの一方の端部に接続され雌ネジを備えたオスコネクタと、
前記チューブの一方の端部に着脱自在に装着され前記雌ネジと螺合可能な雄ネジを備えたアダプタと、を含み、
前記オスコネクタは、
前記アダプタに挿入される挿入部を含む挿入体と、
前記挿入体の周囲に配置された筒状の側周壁と前記側周壁の前記挿入体と向かい合う面に形成された前記雌ネジとを含むロックナットと、を含み、
前記アダプタは、
前記チューブ内に挿入され前記挿入部を受容可能な内側部材と、
前記内側部材に連結され前記チューブの外側に配置された外側部材と、を含み、
前記外側部材は、
前記チューブの前記一方の端部のうちの少なくとも前記チューブの開口に隣接した部分を囲い、その周方向に間隔をあけて形成された切欠部を有する外被部と、
前記外被部の外側面に形成された前記雄ネジと、を含み、
前記雌ネジと前記雄ネジとが螺合されることにより、前記外側部材が前記チューブの中心軸に近づくように弾性変形して、前記内側部材と前記外側部材とで前記チューブを挟持する、前記経腸栄養療法用カテーテルと前記医療用回路との接続構造。
【請求項２】
前記アダプタは、前記チューブの前記一方の端部の端面と向い合う面を含み、前記内側部材と前記外側部材とを連結する、上側部材を含む、請求項１に記載の前記経腸栄養療法用カテーテルと前記医療用回路との接続構造。
【請求項３】
前記上側部材の前記チューブの前記端面と向い合う面に、前記端面の内側縁部に対向した環状溝および前記端面の外側縁部に対向した環状溝のうちの一方または双方が形成されている、請求項２に記載の前記経腸栄養療法用カテーテルと前記医療用回路との接続構造。
【請求項４】
前記切欠部の形状が逆Ｖ字型である請求項１〜３のいずれかの項に記載の前記経腸栄養療法用カテーテルと前記医療用回路との接続構造。
【請求項５】
前記切欠部の最深部が前記上側部材に達して、前記上側部材の一部が切り欠かれている、請求項２に記載の前記経腸栄養療法用カテーテルと前記医療用回路との接続構造。
【請求項６】
液状物を移送するための移送チューブを含む医療用回路に接続され、チューブを含む経腸栄養療法用カテーテルであって、
前記経腸栄養療法用カテーテルの前記チューブの一方の端部に雄ネジを備えたアダプタが着脱自在に装着されており、
前記医療用回路は、
前記移送チューブの一方の端部に接続され前記雄ネジに螺合可能な雌ネジを備えたオスコネクタを含み、
前記オスコネクタは、
前記アダプタに挿入される挿入部を含む挿入体と、
前記挿入体の周囲に配置された筒状の側周壁と前記側周壁の前記挿入体と向かい合う面に形成された前記雌ネジとを含むロックナットと、を含み、
前記アダプタは、
前記チューブ内に挿入され前記挿入部を受容可能な内側部材と、
前記内側部材に連結され前記チューブの外側に配置された外側部材と、を含み、
前記外側部材は、
前記チューブの前記一方の端部のうちの少なくとも前記チューブの開口に隣接した部分を囲い、その周方向に間隔をあけて形成された切欠部を有する外被部と、
前記外被部の外側面に形成された前記雄ネジと、を含み、
前記雌ネジと前記雄ネジとが螺合されることにより、前記外側部材が前記チューブの中心軸に近づくように弾性変形して、前記内側部材と前記外側部材とで前記チューブを挟持する、アダプタ付き経腸栄養療法用カテーテル。
【請求項７】
前記アダプタは、前記チューブの前記一方の端部の端面と向い合う面を含み、前記内側部材と前記外側部材とを連結する、上側部材を含む、請求項６に記載のアダプタ付き経腸栄養療法用カテーテル。
【請求項８】
前記上側部材の前記チューブの前記端面と向い合う面に、前記端面の内側縁部に対向した環状溝および前記端面の外側縁部に対向した環状溝のうちの一方または双方が形成されている、請求項７に記載のアダプタ付き経腸栄養療法用カテーテル。
【請求項９】
前記切欠部の形状が逆Ｖ字型である請求項６〜８のいずれかの項に記載のアダプタ付き経腸栄養療法用カテーテル。
【請求項１０】
前記切欠部の最深部が前記上側部材に達して、前記上側部材の一部が切り欠かれている、請求項７に記載のアダプタ付き経腸栄養療法用カテーテル。
【請求項１１】
前記アダプタの前記外側部材を包囲可能で、前記外側部材の外側面と向かい合う面に、前記アダプタの雄ネジと螺合可能な雌ネジが形成された、有頂円筒形状の、カバー部を含むキャップをさらに含み、
前記カバー部は、前記カバー部の頂壁の内面から立設された環状の突出部さらに含み、
前記突出部の外周面は、前記キャップが前記アダプタに装着された状態の時に、前記アダプタの前記内側部材の内周面に密着し、
前記アダプタの前記雄ネジと前記キャップの雌ネジとが螺合されることにより、前記外側部材が前記チューブの中心軸に近づくように弾性変形して、前記内側部材と前記外側部材とで前記チューブを挟持する、請求項６〜１０のいずれかの項に記載のアダプタ付き経腸栄養療法用カテーテル。
【請求項１２】
液状物を、チューブを含む前記経腸栄養療法用カテーテルへ移送するための移送チューブを含む医療用回路と、前記経腸栄養療法用カテーテルと前記医療用回路とを接続するアダプタとを含む、医療用送液キットであって、
前記医療用回路は、
前記移送チューブの一方の端部に接続され雌ネジを備えたオスコネクタを含み、
前記オスコネクタは、
前記アダプタに挿入される挿入部を含む挿入体と、
前記挿入体の周囲に配置された筒状の側周壁と前記側周壁の前記挿入体と向かい合う面に形成された前記雌ネジとを含むロックナットと、を含み、
前記アダプタは、前記チューブの一方の端部に着脱自在に装着可能であり、
前記アダプタは、前記アダプタが前記チューブの一方の端部に装着されているときに、
前記チューブ内に挿入され前記挿入部を受容可能な内側部材と、
前記内側部材に連結され前記チューブの外側に配置される外側部材と、を含み、
前記外側部材は、
その周方向に間隔をあけて形成された切欠部を有し、前記チューブの前記一方の端部のうちの少なくとも前記チューブの開口に隣接した部分を囲う外被部と、
前記外被部の外側面に形成され、前記雌ネジに螺合可能な雄ネジと、を含み、
前記雌ネジと前記雄ネジとが螺合されることにより、前記外側部材が前記チューブの中心軸に近づくように弾性変形して、前記内側部材と前記外側部材とで前記チューブを挟持する、医療用送液キット。
【請求項１３】
前記アダプタは、前記チューブの前記一方の端部の端面と向い合う面を含み、前記内側部材と前記外側部材とを連結する、上側部材を含む、請求項１２に記載の医療用送液キット。
【請求項１４】
前記上側部材の前記チューブの前記端面と向い合う面に、前記端面の内側縁部に対向した環状溝および前記端面の外側縁部に対向した環状溝のうちの一方または双方が形成されている、請求項１３に記載の医療用送液キット。
【請求項１５】
前記切欠部の形状が逆Ｖ字型である請求項１２〜１４のいずれかの項に記載の医療用送液キット。
【請求項１６】
前記切欠部の最深部が前記上側部材に達して、前記上側部材の一部が切り欠かれている、請求項１３に記載の医療用送液キット。
【発明の詳細な説明】
【技術分野】
【０００１】
本発明は、経鼻カテーテル、ＰＥＧ（Percutaneous Endoscopic Gastrostomy）カテーテル、ＰＴＥＧ（Percutaneus Trans Esophageal Gastro-tubing）カテーテル等の経腸栄養療法用カテーテルと医療用回路とを接続するための接続構造、アダプタ付き経腸栄養療法用カテーテル、及びアダプタと医療用回路とを含む医療用送液キットに関する。
【背景技術】
【０００２】
食道や口腔等の外傷、疾患、又は手術等によって食物を口腔から胃に送り込むことが困難となった患者に栄養剤、流動食、又は薬剤など（一般に「経腸栄養剤」と呼ばれる。以下、「液状物」と称する）を投与する方法として経腸栄養療法が知られている。経腸栄養療法では、液状物を患者の体内に送り込むために可撓性を有するチューブ（一般に「経腸栄養療法用カテーテル」と呼ばれる）が用いられる。経腸栄養療法に用いられるカテーテルとしては、カテーテルの挿入経路によって、患者の鼻腔を通って胃又は十二指腸にまで挿入される経鼻カテーテル、患者の腹に形成された胃ろうを通って胃内に挿入されるＰＥＧカテーテル（例えば、特許文献１参照）、患者の首の付け根に形成された穴を通って胃にまで挿入されるＰＴＥＧカテーテル等が知られている。経腸栄養療法を行う際には、その一方の端部が患者の体内に挿入されたチューブの他方の端部に、液状物が充填された容器（例えばパウチ等）内の当該液状物を移送するための移送チューブに接続されたオスコネクタを挿入して接続する必要がある。
【先行技術文献】
【特許文献】
【０００３】
【特許文献１】特開平０３−１８３７８号公報
【発明の概要】
【発明が解決しようとする課題】
【０００４】
ところで、経腸栄養療法に用いられる液状物の粘度が低いと、胃内の液状物が食道に逆流して肺炎を併発したり、液状物の水分が体内で吸収しきれずに下痢したりする等の問題がある。この問題を防止するために、半固形化したり、トロミ剤や増粘剤を加えたりすることで粘度を高めた液状物が用いられることが多い。
【０００５】
このような高粘度の液状物を患者の体内に送るために、注入器（シリンジ）や液状物を充填した容器を圧縮するための装置などを用いて、液状物に圧力が加えられることがある。この際、液状物に加えられた圧力によって、患者の体内に挿入されたカテーテルとこれに接続されたオスコネクタとが外れてしまうという問題があった。カテーテルとオスコネクタとの分離の問題は、上述した液状物を圧送する場合に限らず、例えばカテーテルとオスコネクタとの接続部分に作業者が意図せずに外力を加えてしまった場合などにも発生することがあった。
【０００６】
更に、経腸栄養療法用カテーテルに挿入されるオスコネクタは、その形状や寸法に関して標準となる規格が存在せずメーカー毎に異なる。そのため、経腸栄養療法用カテーテルは、形状や寸法が異なる各種のオスコネクタを接続可能とするために、挿入されるオスコネクタに相応して変形可能であることを要する。
【０００７】
本発明は、上記の従来の問題を解決し、経腸栄養療法用カテーテルと、それ専用の医療用回路との間の、強固な接続及び接続解除を容易とし、且つ、経腸栄養療法用カテーテルと各種のオスコネクタとの接続も可能とする、接続構造、上記接続構造を得るためのアダプタが着脱自在に装着された経腸栄養療法用カテーテル、及びアダプタと医療用回路とを含む医療用送液キットを提供する。
【課題を解決するための手段】
【０００８】
本発明の経腸栄養療法用カテーテルと経腸栄養投与セットとの接続構造は、
チューブを含む経腸栄養療法用カテーテルと、液状物を前記経腸栄養療法用カテーテルへ移送するための移送チューブを含む医療用回路との接続構造であって、
前記移送チューブの一方の端部に接続され雌ネジを備えたオスコネクタと、
前記チューブの一方の端部に着脱自在に装着され前記雌ネジと螺合可能な雄ネジを備えたアダプタと、を含み、
前記オスコネクタは、
前記アダプタに挿入される挿入部を含む挿入体と、
前記挿入体の周囲に配置された筒状の側周壁と前記側周壁の前記挿入体と向かい合う面に形成された前記雌ネジとを含むロックナットと、を含み、
前記アダプタは、
前記チューブ内に挿入され前記挿入部を受容可能な内側部材と、
前記内側部材に連結され前記チューブの外側に配置された外側部材と、を含み、
前記外側部材は、
前記チューブの前記一方の端部のうちの少なくとも前記チューブの開口に隣接した部分を囲い、その周方向に間隔をあけて形成された切欠部を有する外被部と、
前記外被部の外側面に形成された前記雄ネジと、を含み、
前記雌ネジと前記雄ネジとが螺合されることにより、前記外側部材が前記チューブの中心軸に近づくように弾性変形して、前記内側部材と前記外側部材とで前記チューブを挟持する。
【０００９】
本発明のアダプタ付き経腸栄養療法用カテーテルは、
液状物を移送するための移送チューブを含む医療用回路に接続され、チューブを含む経腸栄養療法用カテーテルであって、
前記経腸栄養療法用カテーテルの前記チューブの一方の端部に雄ネジを備えたアダプタが着脱自在に装着されており、
前記医療用回路は、
前記移送チューブの一方の端部に接続され前記雄ネジに螺合可能な雌ネジを備えたオスコネクタを含み、
前記オスコネクタは、
前記アダプタに挿入される挿入部を含む挿入体と、
前記挿入体の周囲に配置された筒状の側周壁と前記側周壁の前記挿入体と向かい合う面に形成された前記雌ネジとを含むロックナットと、を含み、
前記アダプタは、
前記チューブ内に挿入され前記挿入部を受容可能な内側部材と、
前記内側部材に連結され前記チューブの外側に配置された外側部材と、を含み、
前記外側部材は、
前記チューブの前記一方の端部のうちの少なくとも前記チューブの開口に隣接した部分を囲い、その周方向に間隔をあけて形成された切欠部を有する外被部と、
前記外被部の外側面に形成された前記雄ネジと、を含み、
前記雌ネジと前記雄ネジとが螺合されることにより、前記外側部材が前記チューブの中心軸に近づくように弾性変形して、前記内側部材と前記外側部材とで前記チューブを挟持する。
【００１０】
本発明の医療用送液キットは、
液状物を、チューブを含む前記経腸栄養療法用カテーテルへ移送するための移送チューブを含む医療用回路と、前記経腸栄養療法用カテーテルと前記医療用回路とを接続するアダプタとを含む、医療用送液キットであって、
前記医療用回路は、
前記移送チューブの一方の端部に接続され雌ネジを備えたオスコネクタを含み、
前記オスコネクタは、
前記アダプタに挿入される挿入部を含む挿入体と、
前記挿入体の周囲に配置された筒状の側周壁と前記側周壁の前記挿入体と向かい合う面に形成された前記雌ネジとを含むロックナットと、を含み、
前記アダプタは、前記チューブの一方の端部に着脱自在に装着可能であり、
前記アダプタは、前記アダプタが前記チューブの一方の端部に装着されているときに、
前記チューブ内に挿入され前記挿入部を受容可能な内側部材と、
前記内側部材に連結され前記チューブの外側に配置される外側部材と、を含み、
前記外側部材は、
その周方向に間隔をあけて形成された切欠部を有し、前記チューブの前記一方の端部のうちの少なくとも前記チューブの開口に隣接した部分を囲う外被部と、
前記外被部の外側面に形成され、前記雌ネジに螺合可能な雄ネジと、を含み、
前記雌ネジと前記雄ネジとが螺合されることにより、前記外側部材が前記チューブの中心軸に近づくように弾性変形して、前記内側部材と前記外側部材とで前記チューブを挟持する。
【発明の効果】
【００１１】
本発明では、医療用回路のオスコネクタの雌ネジと経腸栄養療法用カテーテルのチューブに装着されたアダプタの雄ネジとが螺合されるとともに、アダプタの内側部材と外側部材とでチューブが挟持される。そのため、オスコネクタとアダプタ、及び、チューブとアダプタとの接続が、各々強固に行われ、且つ、小さい力で行える。
【００１２】
医療用回路とそれ専用の経腸栄養療法用カテーテルの接続は、雄ネジと雌ネジの螺合により行われる。故に、本発明では、医療用回路と経腸栄養療法用カテーテルとを、例えば、オスコネクタを回転力を加えながらチューブにねじ込むことにより医療用回路と経腸栄養療法用カテーテルとを接続する場合よりも、接続操作が簡単化されている。また、接続を解除したい時にはその解除が容易に行える。
【００１３】
更に、アダプタは、雄ネジと雌ネジとが螺合されていない状態では、チューブから離脱可能であるのでチューブから取り外すことができる。そして、チューブは、挿入される物の形状等に相応して変形可能である。故に、チューブからアダプタを取り外せば、チューブに、形状や寸法が異なる各種のオスコネクタ（例えば、専用の医療用回路のオスコネクタの挿入部より外径の大きい挿入部を含む他のオスコネクタ）を、回転力を加えながらねじ込むことにより接続することもできる。
【図面の簡単な説明】
【００１４】
【図１】図１は、本発明の接続構造の一例を得るための、アダプタ付き経腸栄養療法用カテーテルおよび医療用回路を含む経腸栄養投与セットの概念図である。
【図２】図２は、図１に示されたアダプタ付き経腸栄養療法用カテーテルと医療用回路を含む経腸栄養投与セットとの接続部位の拡大斜視図であって、オスコネクタとアダプタとの接続途中を示した斜視図である。
【図３】図３Ａは、図２に示した接続部位の正面図であり、図３Ｂは、図３Ａの矢印IIIに沿って見た断面図である。
【図４】図４Ａは、図２に示した接続部位の側面図であり、図４Ｂは図４Ａの矢印ＩＶに沿って見た断面図である。
【図５】図５は、図４Ｂの部分拡大図である。
【図６】図６Ａは、図１に示されたアダプタ付き経腸栄養療法用カテーテルと医療用回路を含む経腸栄養投与セットとの接続部位の側面図であって、オスコネクタとアダプタとが接続された状態を示した側面図であり、図６Ｂは、図６Ａの矢印ＶＩに沿って見た断面図である。
【図７】図７は、図６Ｂの部分拡大図である。
【図８】図８は、図１に示したオスコネクタの分解斜視図である。
【図９】図９Ａは、図１に示したアダプタの斜視図であり、図９Ｂは、その平面図、図８Ｃは、その正面図、図８Ｄは、その側面図である。
【図１０】図１０は、図９Ｃの矢印Ｘに沿って見たアダプタの拡大断面図である。
【図１１】図１１Ａは、本発明の接続構造を構成するアダプタの他の一例の斜視図であり、図１１Ｂは、その平面図、図１１Ｃは、正面図、図１１Ｄは側面図である。
【図１２】図１２は、図１１Ｃの矢印ＸＩＩに沿って見たアダプタの拡大断面図である。
【図１３】図１３は、本発明のアダプタ付き経腸栄養療法用カテーテルの一例の斜視図である。
【図１４】図１４は、図１３に示したアダプタ付き経腸栄養療法用カテーテルの断面図である。
【図１５】図１５は、本発明のアダプタ付き経腸栄養療法用カテーテルの他の一例の部分斜視図である。
【図１６】図１６Ａは、図１５に示したアダプタ付き経腸栄養療法用カテーテルを構成するキャップの斜視図、図１６Ｂは、その側面図、図１６Ｃは、その底面図、図１６Ｄは、その平面図である。
【図１７】図１７は、図１６に示したキャップの断面図である。
【図１８】図１８は、相互に接続される前の、アダプタと医療用回路とを含む本発明の医療用送液キットと、経腸栄養療法用カテーテルと、容器を示した、概念図である。
【発明を実施するための形態】
【００１５】
上記の本発明の経腸栄養療法用カテーテルと医療用回路との接続構造（以下、「本発明の接続構造」または「接続構造」と略称する場合もある）の一例において、アダプタは、上側部材を含む。上側部材は、チューブの一方の端部の端面と向い合う面を含み、内側部材と外側部材とを連結する。この場合、アダプタの内側部材と外側部材とを、共通の金型内で同時に成形しかつ一体化させる、いわゆる一体成形により形成することができ、さらに、アダプタのチューブへの装着が簡便に行えるので好ましい。
【００１６】
本発明の接続構造において、上側部材のチューブの前記端面と向い合う面に、上記端面の内側縁部に対向した環状溝および上記端面の外側縁部に対向した環状溝のうちの一方または双方が形成されていると好ましい。この場合、外側部材がメスコネクタの中心軸方向に撓み易くなるので、アダプタを介したオスコネクタのチューブへの強固な接続が小さい力で行える。
【００１７】
本発明の接続構造において、前記切欠部の形状は逆Ｖ字型であると好ましい。この場合、外被部のうちの切欠部が形成された部分と周方向同位置の部分が、雄ネジと雌ネジの螺合に伴い、ロックナットによりチューブ側に締め付けられ易い。前記切欠部の形状が逆Ｖ字型であると、アダプタを介したオスコネクタのチューブへの強固な接続が小さい力で行える。
【００１８】
本発明の接続構造において、切欠部の最深部が上側部材に達して、上側部材の一部が切り欠かれていると好ましい。この場合、チューブの上側端面が上側部材の内側の面（チューブの上側端面と向かい合う面）に接するまで、アダプタの内側部材がチューブに挿入されたことを確認しやすい。また、外側部材のチューブ側への変形量を大きくすることができる。また、チューブの上側端部うちの、外側部材と内側部材によって締め付けられる部分の長さを長く確保できる。故に、この形態は、アダプタを介したオスコネクタのチューブへの強固な接続が小さい力で、且つ、確実に行える。
【００１９】
上記の本発明の経腸栄養療法用カテーテル（以下、「本発明のカテーテル」又は「カテーテル」と略称する場合もある。）の一例において、アダプタは、上側部材を含む。上側部材は、チューブの一方の端部の端面と向い合う面を含み、内側部材と外側部材とを連結する。この場合、アダプタの内側部材と外側部材とを、共通の金型内で同時に成形しかつ一体化させる、いわゆる一体成形により形成することができ、さらに、アダプタのチューブへの装着が簡便に行えるので好ましい。
【００２０】
本発明のカテーテルにおいて、上側部材のチューブの前記端面と向い合う面に、上記端面の内側縁部に対向した環状溝および上記端面の外側縁部に対向した環状溝のうちの一方または双方が形成されていると好ましい。この場合、外側部材がメスコネクタの中心軸方向に撓み易くなるので、アダプタを介したオスコネクタのチューブへの強固な接続が小さい力で行える。
【００２１】
本発明のカテーテルにおいて、前記切欠部の形状は逆Ｖ字型であると好ましい。この場合、外被部のうちの切欠部が形成された部分と周方向同位置の部分が、雄ネジと雌ネジの螺合に伴い、ロックナットによりチューブ側に締め付けられ易い。故に、前記切欠部の形状が逆Ｖ字型であると、アダプタを介したオスコネクタのチューブへの強固な接続が小さい力で行える。
【００２２】
本発明のカテーテルにおいて、切欠部の最深部が上側部材に達しており、上側部材の一部が切り欠かれていると好ましい。この場合、チューブの上側端面が上側部材の内側の面（チューブの上側端面と向かい合う面）に接するまで、アダプタの内側部材がチューブに挿入されたことを確認しやすい。また、外側部材のチューブ側への変形量を大きくすることができる。また、チューブの上側端部うちの、外側部材と内側部材によって締め付けられる部分の長さを長く確保できる。故に、この形態は、アダプタを介したオスコネクタのチューブへの強固な接続が小さい力で、且つ、確実に行える。
【００２３】
本発明のカテーテルの一例は、アダプタの外側部材を包囲可能で、外側部材の外側面と向かい合う面にアダプタの雄ネジと螺合可能な雌ネジが形成された、有頂円筒形状のカバー部を含むキャップをさらに含む。そして、カバー部は、カバー部の頂壁の内面から立設された環状の突出部さらに含み、突出部の外周面は、キャップがアダプタに装着された状態の時に、アダプタの内側部材の内周面に密着する。アダプタの雄ネジとキャップの雌ネジとが螺合されることにより、外側部材がチューブの中心軸に近づくように弾性変形して、内側部材と外側部材とでチューブが挟持される。この場合、チューブに対するアダプタの接続がより強固なるので、液状物の供給操作をしていない時におけるチューブからのアダプタの脱落を抑制でき、患者に留置された経腸栄養療法用カテーテルを介して胃内の残留物が漏れることを抑制できるとともに、経腸栄養療法用カテーテルの内腔を清潔に保つことができる。
【００２４】
本発明の医療用送液キットの一例において、アダプタは、上側部材を含む。上側部材は、チューブの一方の端部の端面と向い合う面を含み、内側部材と外側部材とを連結する。この場合、アダプタの内側部材と外側部材とを、共通の金型内で同時に成形しかつ一体化させる、いわゆる一体成形により形成することができ、さらに、アダプタのチューブへの装着が簡便に行えるので好ましい。
【００２５】
本発明の医療用送液キットにおいて、上側部材のチューブの前記端面と向い合う面に、上記端面の内側縁部に対向した環状溝および上記端面の外側縁部に対向した環状溝のうちの一方または双方が形成されていると好ましい。この場合、外側部材がメスコネクタの中心軸方向に撓み易くなるので、アダプタを介したオスコネクタのチューブへの強固な接続が小さい力で行える。
【００２６】
本発明の医療用送液キットにおいて、前記切欠部の形状は逆Ｖ字型であると好ましい。この場合、外被部のうちの切欠部が形成された部分と周方向同位置の部分が、雄ネジと雌ネジの螺合に伴い、ロックナットによりチューブ側に締め付けられ易い。故に、前記切欠部の形状が逆Ｖ字型であると、アダプタを介したオスコネクタのチューブへの強固な接続が小さい力で行える。
【００２７】
本発明の医療用送液キットにおいて、切欠部の最深部が上側部材に達しており、上側部材の一部が切り欠かれていると好ましい。この場合、チューブの上側端面が上側部材の内側の面（チューブの上側端面と向かい合う面）に接するまで、アダプタの内側部材がチューブに挿入されたことを確認しやすい。また、外側部材のチューブ側への変形量を大きくすることができる。また、チューブの上側端部うちの、外側部材と内側部材によって締め付けられる部分の長さを長く確保できる。故に、この形態は、アダプタを介したオスコネクタのチューブへの強固な接続が小さい力で、且つ、確実に行える。
【発明を実施するための最良の形態】
【００２８】
以下、本発明の好適な一例を図面を用いて説明する。但し、本発明は以下の形態に限定されない。
【００２９】
（実施形態１）
図１は、本発明の接続構造の一例を得るための接続器具１を含む、アダプタ付き経腸栄養療法用カテーテル５と医療用回路を含む経腸栄養投与セット４の概念図である。図２は、図１に示されたアダプタ付き経腸栄養療法用カテーテルと経腸栄養投与セットとの接続部位の拡大斜視図であって、接続器具１を構成するオスコネクタ２とアダプタ３との接続途中を示した斜視図である。図３Ａは、図２に示した接続部位の正面図であり、図３Ｂは、図３Ａを矢印IIIに沿って見た断面図である。図４Ａは、図２に示した接続部位の側面図であり、図４Ｂは、図４Ａの矢印ＩＶに沿って見た断面図である。図５は、図４Ｂの部分拡大図である。図６Ａは、図２に示した接続部位の側面図であり、オスコネクタ２とアダプタ３とが接続された状態を示した正面図であり、図６Ｂは、図６Ａの矢印ＶＩに沿って見た断面図である。図７は、図６Ｂの部分拡大図である。図８は、図１に示された接続器具１を構成するオスコネクタ２の分解斜視図であり、図９Ａは、図１に示された接続器具１を構成するメスコネクタ３の斜視図であり、図９Ｂはその平面図、図９Ｃはその正面図、図８Ｄはその側面図である。図１０は、図９Ａに示したアダプタ３の拡大断面図である。
【００３０】
図１に示すように、本実施形態１の接続構造は、オスコネクタ２とアダプタ３との螺合と、アダプタ３によるチューブ５１の挟持とを同時に実現する接続構造であり、オスコネクタ２とアダプタ３とからなる接続器具１と、アダプタ３がその上側端部５１１に装着されたチューブ５１とから構成される。
【００３１】
オスコネクタ２は、経腸栄養投与セット４の構成部品であり、経腸栄養投与セット４の移送チューブ４１の一方の端部（下側端部）に接続されている。オスコネクタ２の移送チューブ４１への接続方法は、熱融着、嵌め、接着剤による接着等が挙げられ、これらの方法により、オスコネクタ２は、移送チューブ４１と一体化されており、通常の使用において、移送チューブ４１から分離できない。
【００３２】
経腸栄養投与セット４は、オスコネクタ２と移送チューブ４１の他に流量調整器４３や点滴筒４４等を含む医療用回路４７と、液状物を収容可能とする容器４６とを含む。容器４６は、例えば、容器４６の内外を連通する貫通穴を有した排出用ポート４５を介して移送チューブ４１の他方の端部（上側端部）に接続される。流量調整器４３は、可撓性の移送チューブ４１を押圧して移送チューブ４１内を流れる液状物の流量調整を可能とする。点滴筒４４は、可撓性チューブ４１を流れる液状物の流量を可視化させる。
【００３３】
経腸栄養投与セット４は、図１に示された構成に限定されるものではなく、従来公知の経腸栄養供給セットが備える構成部品をさらに含んでいてもよいし、液状物を圧送するための加圧機構などが設けられていても良い。また、医療用回路４７も、図１に示された構成に限定されるものではなく、従来公知の医療用回路４７が備える構成部品をさらに含んでいてもよいし、流量調整器４３及び／又は点滴筒４４がなくてもよい。図１では、容器４６は、例えば、容器４６の内外を連通する貫通穴を有した排出用ポート４５および点滴筒４４を介して移送チューブ４１が接続されているが、容器４６が排出用ポート４５に代えて雄型コネクタ４８（図１８参照）を備え、医療用回路４７は、移送チューブ４１のオスコネクタ２が接続された端部とは反対側の端部に接続された雌型コネクタ４９を備え、医療用回路４７は、容器４６に対して着脱自在であってもよい。
【００３４】
一方、アダプタ３は、後述する内側部材３０２（図９等参照）がチューブ５１に挿入されることによりチューブ５１に装着されているので、チューブ５１から取り外すことができる。
【００３５】
まず、オスコクネクタ２について説明する。図２〜図４及び図８に示されるように、オスコネクタ２は、挿入体２１とロックナット２２とを含む。挿入体２１は、中心軸１００に沿った貫通穴２０２を有し、全体として略中空円筒形状をしている。ロックナット２２は、有頂円筒形状の頂壁２１０の中央部に穴２０９が形成された形状をしており、貫通穴２０９と連通し、貫通穴２０９および貫通穴２０２よりも径が大きい貫通穴２０８が中心軸１００に沿って形成されている。尚、参照符号１００は、オスコネクタ２の中心軸であり、これはアダプタ３の中心軸及びチューブ５１の投与路（第１ルーメン５６、図１４参照）の中心軸でもある。説明の便宜のため、本件明細書において、中心軸１００方向において、投与される液状物の流れの上流側を「上側」、下流側を「下側」と呼ぶ。
【００３６】
挿入体２１の一方の端部（下側部分）は、チューブ５１の上側端部に装着されたアダプタ３に挿入される挿入部２０５であり、その他方の端部（上側部分）は経腸栄養投与セット４（図１参照）を構成する移送チューブ４１の下側端部と接続される基端部２０３である。挿入部２０５の外周面には、基端部２０３に近づくほど外径が大きくなるテーパ面（円錐台面）が形成されている。挿入体２１の内周面は、基端部２０３側の内径が挿入部２０５側のそれよりも大きいことにより、段差面２１１を含む。基端部２０３側から挿入体２１に挿入される移送チューブ４１の下側端面が段差面２１１に当接することにより、移送チューブ４１の挿入体２１に対する挿入長が制限されている。挿入部２０５と基端部２０３の間の挿入体２１の外表面には、その最大外径が貫通穴２０９よりも大きい環状突起２０４が形成されている。
【００３７】
ロックナット２２の側周壁２１２は、挿入体２１の周囲に配置されており、側周壁２１２の挿入体２１と向かい合う面、即ち、内周面には、雌ネジ（螺溝）２１３が形成されている。頂壁２１０に形成された貫通穴２０９の径は、挿入体２１の基端部２０３の外径よりも大きいので、ロックナット２２は挿入体２１対して中心軸１００に沿って上下動可能である。但し、挿入体２１の環状突起２０４が頂壁２１０の内面に当接することによって、ロックナット２２の下側方向への移動が制限されている。
【００３８】
オスコネクタ２は、移送チューブ４１よりも高い剛性と硬度を有する材料からなり、特に制限はないが、例えば、ポリエチレン、ポリプロピレン、ポリカーボネート、ポリアセタール、ポリ塩化ビニル（ＰＶＣ）、ポリブタジエン（ＰＢＤ）、ＡＢＳ樹脂等を用いることができるが、移送チューブとの接続が容易であるという理由から、ポリカーボネート、ポリ塩化ビニル（ＰＶＣ）、又はＡＢＳ樹脂が好ましい。
【００３９】
次に、アダプタ３について説明する。図２〜図４、図９及び図１０に示されるように、アダプタ３は、内側部材３０２と外側部材３０３とを含む。内側部材３０２は、中心軸１００に沿った貫通穴３０１（図９、図１０参照）を有し、全体として略中空円筒形状をしている。外側部材３０３は、中心軸１００と同方向の長さが内側部材３０２のそれよりも短く、内側部材３０２の上側端部３１１（図１０参照）の外側に配置されている。内側部材３０２の上端と外側部材３０３の上端は、内側部材３０２の上端から中心軸１００と直交する方向に延びた環状の上側部材３０４（図９、図１０参照）を介して相互に連結されている。故に、外側部材３０３は、内側部材３０２の上側端部３１１の外側に対して一定の間隔を空けて配置されており、外側部材３０３と内側部材３０２との間には、空間３０５（図１０参照）が存在する。
【００４０】
内側部材３０２の内周面には、その上端から下端に向かって内径が小さくなるテーパ面（円錐台面）が形成されており、オスコネクタ２の挿入部２０５を受容できる。当該テーパ面のテーパ率は、オスコネクタ２の挿入部２０５の外周面のそれと等しく、内側部材３０２に挿入部２０５が挿入されると、挿入部２０５の外周面は内側部材３０２の内周面に密着する。内側部材３０２の外周面も内周面と同じテーパ率のテーパ面が形成されている。内側部材３０２の外径は、チューブ５１の上側端部５１１（図１参照）のそれよりも僅かに大きいか等しく、アダプタ３は、例えば、内側部材３０２がチューブ５１に回転力を加えながらねじ込まれることによりチューブ５１に装着される。チューブ５１と内側部材３０２との間に発生する適度な大きさの摩擦力により、アダプタ３がチューブ５１に装着された状態が保持される。内側部材３０２の外径の大きさは、チューブ５１が有する柔軟性に応じて異なるが、アダプタ３の、チューブ５１への装着作業の容易性とチューブ５１からの脱落の困難性とが両立されるように設定される。
【００４１】
外側部材３０３は、外被部３０７と、外被部３０７の外側面に形成された雄ネジ３０８とを含む。外被部３０７は、チューブ５１の上側端の隣接部５１２の外側に配置されており、チューブ５１の上側端部５１１（一方の端部、図５も参照）のうちの少なくともチューブ５１の開口に隣接した部分を囲っている。また、外被部３０７には、その周方向に間隔をあけて複数の切欠部３０６が形成されている。雄ネジ３０８は、ロックナット２２の雌ネジ２１３（図８等参照）と螺合可能である。切欠部３０６と雄ネジ３０８の数は各々２つであり、切欠部３０６と雄ネジ３０８は、外被部３０７の周方向に沿って交互に配置されている。切欠部３０６は、外被部３０７の下側から上側に向かって形成され、その最深部３１０（図９参照）は、上側部材３０４にまで達しておらず、外被部３０７の中心軸１００と同方向の長さのうちのほぼ中央に位置している。
【００４２】
図５等に示されるように、外被部３０７の内径は、上側から下側に向かって僅かに大きくなっている（図１０も参照）。また、チューブ５１の上側端の隣接部５１２は、チューブ５１に内側部材５０２が挿入されることによって、内側部材５０２の外形に沿って周方向に適宜拡張されている。そのため、オスコネクタ２の雌ネジ２１３（図８等参照）とアダプタ３の雄ネジ３０８とが螺合されていない状態では、例えば、空間３０５内に挿入されたチューブ５１の上側端に近い部分の外表面５１２ａは、外側部材３０３の内周面３０３ａと接するが、チューブ５１の当該部分よりも下側の部分の外表面５１２ｂは、外側部材３０３の内周面３０３ａと接していない。
【００４３】
外側部材３０３と内側部材３０２との距離は、オスコネクタ２の雌ネジ２１３とアダプタ３の雄ネジ３０８とを螺合させた時に、外側部材３０３と内側部材３０２とでチューブ５１をしっかりと挟持できるように設定すればよく、例えば、当該距離の最小値（図５に示した例では、上側部材３０４のチューブ５１の上側端面５１３と向い合う面３０４ｃ上における外側部材３０３と内側部材３０２との距離）が、チューブ５１の上側端の隣接部５１２における厚みより僅かに小さいと好ましい。
【００４４】
図６〜図７に示されるように、オスコネクタ２の雌ネジ２１３とアダプタ３の雄ネジ３０８とを螺合させると、特に、図７に示されるように、外側部材３０３が、チューブ５１の上側端の隣接部５１２に近づくように弾性変形し、外側部材３０３の特に下側の内径が縮径する。その結果、内側部材３０２と外側部材３０３とで上記隣接部５１２が挟持され、チューブ５１が外側部材３０３と内側部材３０２とによって半径方向に圧縮されるので、チューブ５１とアダプタ３とを強固に接続できる。故に、例えば、経腸栄養投与セットのオスコネクタを経腸栄養療法用カテーテルのチューブに単にねじ込むことにより、経腸栄養投与セットと経腸栄養療法用カテーテルとを接続する場合よりも、経腸栄養投与セットと経腸栄養療法用カテーテルとを強固に接続でき、且つ、その接続操作も簡単化されている。
【００４５】
よって、本発明の接続構造の上記の一例を採用すれば、経腸栄養療法用カテーテルと経腸栄養投与セットの接続部位から、液状物が漏れ、及び／又は、意図しない接続の解除の発生を抑制できるので、本発明の接続構造の上記の一例は、例えば、高粘度の液状物を患者の体内に送る経腸栄養療法用カテーテルと経腸栄養投与セットの使用の際に、好適に採用される。尚、本件明細書において、図７に示されるように、外側部材３０３をチューブ５１側に弾性変形させた状態を「縮径状態」と呼ぶ場合がある。
【００４６】
また、経腸栄養療法用カテーテルと経腸栄養投与セットの接続を解除したい場合は、雌ネジ２１３と雄ネジ３０８の螺合を解除すればよいので、チューブに圧入されたオスコネクタをチューブから両者の間に生じる摩擦力に勝る力で引き抜く場合よりも、接続の解除作業が容易に行える。
【００４７】
本実施形態では、外被部３０７の外径が、上側から下側に向かって僅かに大きくなっているので、雄ネジ３０８と雌ネジ２１３との螺合操作により、外側部材３０３が、縮径状態に弾性変形し易い。また、切欠部３０６の形状が逆Ｖ字型であるので、外被部３０７のうちの切欠部３０６が形成された部分と周方向同位置の部分が、雄ネジ３０８と雌ネジ２１３の螺合に伴い、ロックナット２２によりチューブ５１側に締め付けられ易い。
【００４８】
更に、アダプタ３は、主として内側部材３０２がチューブ５１内に単に圧入されることにより、チューブ５１に装着されているので、雄ネジ３０８と雌ネジ２１３とが螺合していない状態では、内側部材３０２をチューブ５１から引き抜くことができる。故に、例えば、経腸栄養療法用カテーテルと経腸栄養投与セットとの接続部位に高い耐圧性が要求されない、液状物の患者への供給の際、例えば、容器４６（図１参照）から患者までの落差圧を利用して液状物を患者へ供給する際、オスコネクタ２とは異なるオスコネクタを備えた経腸栄養投与セットの当該オスコネクタを、アダプタ３を介在させることなくチューブ５１にねじ込む等の方法により直接圧入して、液状物を患者に投与できる。オスコネクタ２とは異なるコネクタとしては、オスコネクタ２の挿入部２０５より外径の大きい挿入部を含む他のオスコネクタが好ましい。
【００４９】
図７及び図１０に示されるように、上側部材３０４のチューブ５１の上側端面５１３と向い合う面（空間３０５に面する面）には、当該端面のうちの内側縁部５１３ａに対向する環状溝（第１環状溝）３０４ａと、外側縁部５１３ｂに対向する環状溝（第２環状溝）３０４ｂが形成されている。そのため、オスコネクタ２の雌ネジ２１３とアダプタ３の雄ネジ３０８とを螺合させた時に、外側部材３０３が、チューブ５１側に撓み易い。尚、図７及び図１０に示した例では、端面５１３には二つの環状溝が形成されているが、例えば、環状溝３０４ａ、環状溝３０４ｂのいずれか一方のみが形成されていてもよく、その場合は、環状溝３０４ｂのみが形成されていると好ましい。
【００５０】
次に、図１１及び図１２を用いて、本発明の接続構造の一例に供される他の形態のアダプタについて説明する。
【００５１】
図１１及び図１２に示されたアダプタ６は、雄ネジ（螺子山）６０８の形成位置、および切欠部６０６の最深部６１０の位置が異なること以外は、図９及び図１０に示したアダプタ３と同様の構成をしている。アダプタ６の雄ネジ６０８も、オスコネクタ２の雌ネジ２１３と螺合可能である。
【００５２】
即ち、アダプタ６は、内側部材６０２と、上側部材６０４と、上側部材６０４を介して内側部材６０２に連結された外側部材６０３とを含み、外側部材６０３と内側部材６０２との間には、空間６０５が存在する。内側部材６０２は、中心軸１００に沿った貫通穴６０１を有し、全体として略中空円筒形状をしている。内側部材６０２の内周面には、その上端から下端に向かって内径が小さくなるテーパ面（円錐台面）が形成されており、オスコネクタ２の挿入部２０５（図８参照）を受容でき、内側部材６０２に挿入部２０５が挿入されると、内側部材６０２の内周面は挿入部２０５の外周面と密着する。
【００５３】
外側部材６０３は、切欠部６０６を有する外被部６０７と、外被部６０７の外側面に形成された雄ネジ６０８とを含み、切欠部６０６と雄ネジ６０８とが外被部６０７の周方向に沿って交互に配置されている。雄ネジ６０８は、図９及び図１０に示したアダプタ３の雄ネジ３０８よりも外被部６０７のより上側に形成されており、雄ネジ６０８の雌ネジが摺動する面６０９（図１２参照）は、アダプタ３における雄ネジ３０８の雌ネジが摺動する面３０９（図１０参照）よりも、上側に形成されている。そのため、雌ネジの雄ネジ３０８に対するネジの係りが早いという観点から、アダプタ６はアダプタ３よりも好ましい。図１１に示したアダプタ６では、雄ネジ６０８の上側面と、上側部材６０４の上側面とが同一平面内にある。
【００５４】
また、切欠部６０６の最深部６１０が上側部材６０４に達して上側部材６０４の一部が切り欠かれている。そのため、チューブの上側端面が上側部材６０４の内側の面６０４ｃ（チューブの上側端面と向かい合う面、図１２参照）に接するまで、アダプタ６の内側部材６０２がチューブに挿入されたことを確認しやすい。また、外側部材６０３のチューブ側への変形量を大きくすることができる。また、チューブの上側端部うちの、外側部材と内側部材によって締め付けられる部分の長さを長く確保できる。故に、アダプタ６では、アダプタ６を介したオスコネクタのチューブへの強固な接続が小さい力で、且つ、確実に行える。オスコネクタ２の雌ネジとアダプタ６の雄ネジ６０８とが螺合されていない状態では、チューブへの装着性の向上の観点から、アダプタ３の場合と同様に、外側部材６０３の内周面の一部のみがチューブ５１の外周面と接していると好ましい。
【００５５】
アダプタ３及びアダプタ６の材料は、チューブ５１よりも高い剛性と硬度を有する材料からなり、特に制限はないが、例えば、ポリエチレン、ポリプロピレン、ポリカーボネート、ポリアセタール、ポリ塩化ビニル（ＰＶＣ）、ポリブタジエン（ＰＢＤ）、ＡＢＳ樹脂等を用いることができるが、チューブ５１への装着が容易であるという理由から、ポリカーボネート、ポリプロプレンが好ましい。オスコネクタのアダプタを介したチューブへの接続を、強固なものとし且つ小さい力で行うという観点から、アダプタの硬度は、オスコネクタのそれより小さく、チューブのそれよりも大きいと好ましい。
【００５６】
（実施形態２）
次に、本発明の接続構造の上記一例を構成するアダプタがチューブに装着された、アダプタ付き経腸栄養療法用カテーテル（以下、「カテーテル」と略称する場合もある。）の一例について説明する。
【００５７】
図１３は、図１に示した経腸栄養療法用カテーテル５の拡大斜視図であり、図１４はその断面図である。アダプタについては、図９及び図１０に示したアダプタ３と同じであるので、その説明を省略する。カテーテル５は、例えば、ＰＥＧカテーテルである。ＰＥＧカテーテルは、患者に留置された後、約１〜６ヶ月間毎に交換される。
【００５８】
図１３及び図１４に示されるように、カテーテル５は、バルーンカテーテルであり、分岐チューブ５２を備えたチューブ５１（カテーテル本体）と、チューブ５１の上側端に着脱自在に装着されたアダプタ３と、バンパー５４と、チューブ５１の先端付近に設けられたバルーン５３とを含む。分岐チューブ５２の先端には、逆止弁５５が設けられている。チューブ５１は、シリコーンゴム、ウレタン等の柔軟性を有する軟質材料からなるので、その上側端部は、アダプタ３の内側部材３０２が挿入されることにより半径方向に延伸（拡径）しており、当該内側部材３０２の外周面に密着している。
【００５９】
図１４に示されるように、チューブ５１は、液状物の投与路として機能する第１ルーメン５６と、バルーンの膨張・収縮用の第２ルーメン５７とを有する。第１ルーメン５６は、チューブ５１の長手方向に沿って形成された貫通路であり、第２ルーメン５７は、その一端がチューブ５１の外周面に開口して、バルーン５３の内部に連通しており、その他端は、分岐チューブ５２に設けられた逆止弁５５によって塞がれている。逆止弁５５から第２ルーメン５７内に液体を供給することによりバルーン５３は膨張させることができる。
【００６０】
チューブ５１の外周面に表示された目盛りは、カテーテル５を操作する医療従事者が、カテーテル５のうちの患者の体内に挿入された部分の長さを確認するためのものである。
【００６１】
バンパー５４は、カテーテル５が患者の体内に入り込みすぎることを抑制するストッパーである。バンパー５４は、チューブ５１上を摺動可能であるが、チューブ５１に対する摺動抵抗が大きい材料（例えば、シリコーンゴム、ウレタン等）から形成されている。
【００６２】
図１５に示されるように、カテーテル５は、カテーテル５の不使用時の上側開口を塞ぐ蓋となるキャップ７をさらに備えていると好ましい。図１５は、キャップ７がアダプタ３に装着されたカテーテル５の部分斜視図であり。図１６Ａは、キャップ７の斜視図であり、図１６Ｂは、その側面図、図１６Ｃは底面図、図１６Ｄは平面図であり、図１７は、キャップ７の断面図である。
【００６３】
キャップ７は、例えば、アダプタ３の外側部材を包囲可能で、アダプタの上側開口を塞ぐカバー部７１と、カバー部７１に連結された操作部７２とを含む。カバー部７１は、有頂円筒形状をしており、アダプタ３の外側部材３０３の外側面と向かい合う面、即ち、内周面には、アダプタ３の雄ネジと螺合可能な雌ネジ７３が形成されている。また、カバー部７１は、頂壁７４の内面から下側（カバー部７１の開口側）に向かって立設された環状の突出部７５を備えている。突出部７５の外周面には、その上端から下端に向かって内径が小さくなるテーパ面（円錐台面）が形成されており、当該テーパ面のテーパ率は、アダプタ３の内側部材３０２の内周面のそれと等しい。
【００６４】
キャップ７をアダプタ３に装着するために、雌ネジ７３をアダプタ３の雄ネジに螺合させる操作を行うと、突出部７５は回転しながら内側部材３０２に挿入され、最終的には、外側部材３０３がチューブ５１の中心軸に近づくように弾性変形して、内側部材３０２と外側部材３０３とでチューブ５１が挟持される。このように、キャップ７をアダプタ３に装着することにより、外側部材３０３（特にその下側部分）が縮径状態に弾性変形され、突出部７５の外周面が内側部材３０２の内周面に密着して、チューブ５１が外側部材３０３と内側部材３０２とによって半径方向に圧縮されれば、液状物の供給操作をしていない時におけるチューブ５１からのアダプタ３の脱落を抑制でき、患者に留置された経腸栄養療法用カテーテルの内腔を清潔に保つことができ、好ましい。
【００６５】
キャップ７は、硬質の樹脂材料、例えばポリプロピレン、ポリカーボネート、ポリエチレン、ＡＢＳ樹脂、ポリ塩化ビニル等を用いて、射出成型等により一体に製造することができる。
【００６６】
以上、本発明の経腸栄養療法用カテーテルの一例について説明したが、アダプタ部分以外の構成については、特に制限はなく、本発明の経腸栄養療法用カテーテルは従来公知のカテーテルが備える構成を更に含んでいてもよい。また、本発明の経腸栄養療法用カテーテルの一部の構成が、従来公知のカテーテルが備える構成と置換されてもよい。例えば、チューブ５１の上側端部の内周面が、下側よりも上側に向かって径が大きくなるテーパ面（円錐面）が中心軸１０１方向に複数個繰り返して配置されたタケノコ状あってもよい。
【００６７】
次に、図１３および図１４に示した経腸栄養療法用カテーテル５の使用方法と、当該カテーテル５とオスコネクタ２を含む経腸栄養投与セット４（図１参照）との接続方法について説明する。
【００６８】
まず、カテーテル５は、その下側端から、患者に形成された小口（胃ろう）を通って、その下側端部が患者の胃内に挿入される。次いで、例えば、注射器等を用いて第２ルーメン５７に液体を供給してバルーン５３を膨らませる。これにより、カテーテル５が患者の小口から抜けることが防止される。次いで、バルーン５３が粘膜壁に接触するまでカテーテル５を引っぱりバルーン５３で小口をシールし、バンパー５４をチューブ５１上を摺動させる。これにより、カテーテル５が胃内へと深く差し込まれることが防止される。
【００６９】
次に、経腸栄養供給システム４（図１参照）の流量調整器４３(図１参照)により移送チューブ４１が押潰され、移送チューブ４１の流路が閉じられていることを確認してから、容器４６内に液状物を注ぐ。そして、図３等に示されるように、アダプタ３の内側部材３０２内に、経腸栄養投与セットを構成するオスコネクタ２の挿入部２０５を挿入した後、ロックナット２２を、アダプタ３に押し付けながら中心軸１００を中心に右回りに回転させて、オスコネクタ２の雌ネジ２１３とアダプタ３の雄ネジ３０８とを螺合させ、当該カテーテル５とオスコネクタを含む経腸栄養投与セットとを接続する。
【００７０】
ロックナット２２の回転操作に伴い、挿入部２０５の外周面が内側部材３０２の内周面に押し付けられるとともに、外側部材３０３が縮径状態に弾性変形して、内側部材３０２と外側部材３０３とで、チューブ５１を挟持し半径方向に圧縮する（図７参照）。
【００７１】
その後、流量調整器４３による移送チューブ４１の押圧を解除して移送チューブ４１の流路を開くと、容器４６内に充填された液状物が、カテーテル５の第１ルーメン５６を通って患者に供給される(図１参照)。
【００７２】
カテーテル５とオスコネクタを含む経腸栄養投与セット４との接続状態を解除するには、上記と逆の操作を行えばよい。具体的には、液状物の患者への供給が終わった後、流量調整器４３により移送チューブ４１流路を閉じてから、ロックナット２２を中心軸１００を中心に左回りに回転させて、オスコネクタ２の雌ネジ２１３とアダプタ３の雄ネジ３０８との螺合を解除する。次いで、挿入部２０５を内側部材３０２から引き抜き、カテーテル５の上側端部を清潔にした後、アダプタ３にキャップ７を装着する。
【００７３】
（実施形態３）
次に、本発明の医療用送液キットの一例について説明する。図１８は、相互に接続される前の、アダプタ３と医療用回路４０とを含む医療用送液キット８と、経腸栄養療法用カテーテル９と、容器４６を示した、概念図である。
【００７４】
図１８に示すように、医療用送液キット８は、アダプタ２と医療用回路４０とを含む。医療用回路４０は、移送チューブ４１と、移送チューブ４１の、一方の端部に接続された雌型コネクタ４９と、他方の端部に接続されたオスコネクタ２と、流量調整器４３とを含む。雌型コネクタ４９は、容器４６の内外を連通する貫通穴を有した雄型コネクタ４８に対して、螺合又は係合可能であり、着脱可能に接続できる。雌型コネクタ４９は、雄型コネクタ４８に対する接続手段として、雌ネジ又は係合部等を有する。オスコネクタ２は、本発明の接続構造を構成するオスコネクタの一例として（実施形態１）で説明したオスコネクタ２と同じものである。故に、医療用送液キット８を構成するオスコネクタ２の各部材の詳細および作用は、（実施形態１）で説明したオスコネクタ２のそれらと同じであり、その説明は省略する。
【００７５】
アダプタ３は、本発明の接続構造を構成するアダプタの一例として（実施形態１）で説明したアダプタ３と同じものである。故に、医療用送液キット８を構成するアダプタ３の各部材の詳細および作用は、（実施形態１）で説明したアダプタ３のそれらと同じであり、その説明は省略する。医療用送液キット８では、アダプタ３に代えて図１１及び図１２に示したアダプタ６を用いることもできる。
【００７６】
医療用送液キット８を構成する経腸栄養療法用カテーテル９は、本発明のアダプタ付き経腸栄養療法用カテーテルの一例として（実施形態２）で説明したアダプタ付き経腸栄養療法用カテーテル５から、アダプタ３を除いた残部と同じものである。故に、経腸栄養療法用カテーテル９を構成する各部材の詳細および作用は、（実施形態２）で説明したアダプタ付き経腸栄養療法用カテーテル５のアダプタ３を除いた残部と同じであり、その説明は省略する。
【００７７】
次に、医療用送液キット８と経腸栄養療法用カテーテル９との接続方法について説明する。まず、アダプタ３の内側部材３０２を、患者に留置されたカテーテル９のチューブ５１の上側端部５１１に挿入する。この操作により、（実施形態２）で説明したアダプタ付き経腸栄養療法用カテーテル５と同じものが得られる。一方で、容器４６の雄型コネクタ４８と医療用回路４０の雌型コネクタ４９とを螺合又は係合等の方法により接続してから、容器４６内に液状物を注ぎ、医療用回路４０内を液状物で満たして医療用回路４０内のプライミングを行う。次いで、流量調整器４３で移送チューブ４１内の流路を閉じてから、アダプタ３の内側部材３０２内に、オスコネクタ２の挿入部２０５を挿入し、ロックナット２２を、アダプタ３に押し付けながらオスコネクタ２の中心軸を中心に右回りに回転させて、オスコネクタ２の雌ネジ２１３（図８参照）とアダプタ３の雄ネジ３０８（図９参照）とを螺合させ、当該カテーテル９とオスコネクタ２を含む医療用回路４０とをアダプタ３を介して接続する。ロックナット２２の回転操作に伴い、挿入部２０５の外周面が内側部材３０２の内周面に押し付けられるとともに、外側部材３０３が縮径状態に弾性変形し、内側部材３０２と外側部材３０３とで、チューブ５１を挟持し半径方向に圧縮する。
【００７８】
その後、送液ポンプ（図示せず）等に医療用回路４０をセットし、次いで、流量調整器４３による移送チューブ４１の閉塞を解除して移送チューブ４１の流路を開き、送液ポンプによる送液を開始すると、容器４６内に充填された液状物が、カテーテル５の第１ルーメン５６を通って患者に供給される。
【００７９】
以上のようにして、医療用送液キット８のアダプタ３を経腸栄養療法用カテーテル９へ装着してアダプタ付き経腸栄養療法用カテーテルとすることで、経腸栄養療法用カテーテル９を医療用回路４０との接続に最適な経腸栄養療法用カテーテル、即ち、専用の経腸栄養療法用カテーテルとすることできる。
【００８０】
そして、医療用送液キット８の医療用回路４０と、アダプタ３が装着された経腸栄養療法用カテーテル９とを接続すると、オスコネクタ２の雌ネジと、アダプタ３の雄ネジとが、螺合されるとともに、アダプタ３の内側部材３０２と外側部材３０３とでチューブ５１の一部が挟持される。そのため、オスコネクタ２とアダプタ３、及び、チューブ５１とアダプタ３との接続が、各々強固に行われ、且つ小さい力で行える。また、本発明の医療用送液キット８を用いれば、例えば、オスコネクタを回転力を加えながらチューブにねじ込むことにより医療用回路と経腸栄養療法用カテーテルとを接続する場合よりも、接続操作が簡単化されている。また、接続を解除したい時にはその解除が容易に行える。
【００８１】
以上、図１〜図１８を用いて、本発明の接続構造の一例、アダプタ付き経腸栄養療法用カテーテル、及び医療用送液キットの一例について各々説明したが、これらは例示に過ぎず、種々の変更が可能である。
【００８２】
例えば、オスコネクタ２の挿入部２０５の外周面に、上側から下側に向かって外径が小さくなるテーパ面（円錐面）が中心軸１０１方向に複数個繰り返して配置されたタケノコ形状が形成されていてもよい。
【００８３】
チューブ５１の上側端部５１１の内径及び外径は、上側から下側に向かって各々小さくなっていてもよいし、一定であってもよい。
【００８４】
アダプタの外被部に形成された切欠部及び雄ネジの数について、特に制限はなく、１つ又は３つ以上であってよい。但し、切欠部及び雄ネジの数が１つだけだと、高い接続強度を安定して得ることが困難となることがあるので、切欠部及び雄ネジの数はともに複数であると好ましい。
【００８５】
図９に示されたアダプタ３においても、図１１に示されたアダプタ６と同様に、切欠部最深部３１０が上側部材３０４に達して、環状の上側部材３０４の一部が切り欠かれていてもよい。
【００８６】
図１３〜図１４を用いた説明では、経腸栄養療法用カテーテルは、ＰＥＧカテーテルであるが、本発明の経腸栄養療法用カテーテルはこれに限定されず、経鼻カテーテル、ＰＴＥＧカテーテル等の他の経腸栄養療法用カテーテルであってもよい。
【産業上の利用可能性】
【００８７】
本発明は、経腸栄養療法の分野において有用である。
【符号の説明】
【００８８】
１                    接続器具
２                    オスコネクタ
２１                  挿入体
２２                  ロックナット
２０５                挿入部
２１２                側周壁
２１３                雌ネジ
５                    経腸栄養療法用カテーテル
５１                  チューブ
４                    経腸栄養投与セット
４１                  移送チューブ
４７、４０            医療用回路
３，６                アダプタ
３０８，６０８        雄ネジ
３０２，６０２        内側部材
３０３，６０３        外側部材
３０４，６０４        上側部材
３０６，６０６        切欠部
３０７，６０７        外被部
３１０，６１０        最深部
３０４ａ，３０４ｂ    環状溝
５１３ａ              内側縁部
５１３ｂ              外側縁部
７                    キャップ
７１                  カバー部
７３                  雌ネジ
７４                  頂壁
７５                  突出部
【図１】
2013138707.tif 000003
【図２】
2013138707.tif 000004
【図３】
2013138707.tif 000005
【図４】
2013138707.tif 000006
【図５】
2013138707.tif 000007
【図６】
2013138707.tif 000008
【図７】
2013138707.tif 000009
【図８】
2013138707.tif 000010
【図９】
2013138707.tif 000011
【図１０】
2013138707.tif 000012
【図１１】
2013138707.tif 000013
【図１２】
2013138707.tif 000014
【図１３】
2013138707.tif 000015
【図１４】
2013138707.tif 000016
【図１５】
2013138707.tif 000017
【図１６】
2013138707.tif 000018
【図１７】
2013138707.tif 000019
【図１８】
2013138707.tif 000020